(57)【要約】【課題】優れた安全性および操作性を両立させた医療用殺菌装置を提供する。【解決手段】本発明の実施の一態様に係る医療用殺菌装置（１）は、紫外線を含む光を手術部位（６）に照射する医療用殺菌装置（１）であって、１９０ｎｍ以上２３０ｎｍ以下の波長範囲にピーク波長を有する第一波長光を出射する第一レーザ光源と、４００ｎｍ以上７８０ｎｍ以下の波長範囲にピーク波長を有する第二波長光を出射する第二レーザ光源と、を備え、前記手術部位（６）における、前記第二レーザ光源の照射位置から前記第一レーザ光源の照射位置を特定することを特徴とする。【選択図】図４
2018126522.tif 000002
【特許請求の範囲】
【請求項１】
紫外線を含む光を手術部位に照射する医療用殺菌装置であって、
１９０ｎｍ以上２３０ｎｍ以下の波長範囲にピーク波長を有する第一波長光を出射する第一レーザ光源と、
４００ｎｍ以上７８０ｎｍ以下の波長範囲にピーク波長を有する第二波長光を出射する第二レーザ光源と、
を備え、
前記手術部位における、前記第二レーザ光源の照射位置から前記第一レーザ光源の照射位置を特定する
ことを特徴とする医療用殺菌装置。
【請求項２】
紫外線を含む光を手術部位に照射する医療用殺菌装置であって、
４００ｎｍ以上７８０ｎｍ以下の波長範囲にピーク波長を有する第二波長光を出射するレーザ光源と、
前記レーザ光源から出射された前記第二波長光を受けて、当該第二波長光の一部を１９０ｎｍ以上２３０ｎｍ以下の波長範囲にピーク波長を有する第一波長光に変換する周波数変換素子と、
を備え、
前記手術部位における、前記第二波長光の照射位置から前記第一波長光の照射位置を特定することを特徴とする医療用殺菌装置。
【請求項３】
前記第一波長光を走査しつつ前記手術部位に照射するスキャン機構を備えたことを特徴とする請求項１又は２に記載の医療用殺菌装置。
【請求項４】
前記手術部位に照射される２３０ｎｍ超４００ｎｍ未満の波長範囲の光の強度が、３ｍＷ／ｃｍ２未満であることを特徴とする請求項１〜３の何れか１項に記載の医療用殺菌装置。
【請求項５】
請求項１〜４の何れか１項に記載の医療用殺菌装置の使用方法であって、
前記第一波長光の手術部位への照射は、微生物菌が創傷に奥深く入ってしまう前、且つ、微生物菌がバイオフィルムを形成する前とする
ことを特徴とする医療用殺菌装置の使用方法。
【請求項６】
請求項１〜４の何れか１項に記載の医療用殺菌装置を備えたことを特徴とする医療具。
【請求項７】
請求項６記載の医療具の使用方法であって、
前記第一波長光の手術部位への照射は、微生物菌が創傷に奥深く入ってしまう前、且つ、微生物菌がバイオフィルムを形成する前とする
ことを特徴とする医療具の使用方法。
【発明の詳細な説明】
【技術分野】
【０００１】
本発明は、紫外線を照射することによって殺菌する医療用殺菌装置及びその使用方法、並びに、医療具及びその使用方法に関し、より詳細には、紫外線の照射範囲を可視化することができる医療用殺菌装置及びその使用方法、並びに、医療具及びその使用方法に関する。
【背景技術】
【０００２】
感染のリスクの高い「手術」という医療行為において、感染を１００％防ぐ方法は無く、２％〜５％において手術部位感染（ＳＳＩ:surgical site infection）が起こる。
【０００３】
手術部位感染（ＳＳＩ）を減少させるためには、患者の合併症、消毒、手術室環境、医療従事者の消毒・感染管理など、手術全体に注意を払う必要がある。手術は、通常、無菌状態で行われ、医療現場ではあらゆる場面で衛生への配慮が十分なされているが、手術部位感染（ＳＳＩ）の発生率は手術の種類や手術を行う部位によって異なる。これは、部位の滅菌処理の難易度に起因するものである。
【０００４】
たとえば、血管や尿管にカテーテルを配置（留置）するカテーテル手術では、手術部位感染（ＳＳＩ）の発生率は１０％を超えている（ＪＡＮＩＳ  ＳＳＩ部門  公開情報  ２０１３年７月〜１２月半期報）。なぜなら、これらの部位を直接滅菌処理することは不可能であり、挿入するカテーテルを徹底的に滅菌処理するしか方法がないのが現状であるためである。
【０００５】
手術部位感染（ＳＳＩ）により治癒が遅くなることで、入院日数と医療コストが増え、最終的に患者に負担をかけてしまう。入院日数は平均すると１５〜１８日も延び、入院費は１件あたり平均４５〜５４万円程度高くなる。
【０００６】
日本における、手術部位感染（ＳＳＩ）の発生件数は、５３７４件であり（ＪＡＮＩＳ
ＳＳＩ部門  公開情報  ２０１３年７月〜１２月半期報）、このことから、手術部位感染（ＳＳＩ）の発生によって、年間約４８億円の医療費が余計にかかっている計算になる。また、術後になかなか退院できず、経済的な負担が増える事態に直面した患者の精神的な負担も見逃すことはできない。そのため、手術部位感染（ＳＳＩ）の発生率を低下させ得る技術の開発が望まれている。
【０００７】
このような技術に関して、特許文献１では、紫外線ランプを用いて、手術部位を殺菌する技術が開示されている。特許文献１によれば、紫外線ランプにより紫外線を照射することによって、手術部位を含めた範囲を殺菌することができる。さらに、紫外線と共に可視光線を照射することによって、紫外線の照射範囲を可視化している。
【０００８】
また、特許文献２では、約１９０〜２３０ｎｍの波長範囲の紫外線を出射する紫外線ランプと、紫外線が上記波長範囲以外の光を含むことを実質的に防止する多層誘電体フィルタや化学フィルタなどのスペクトルフィルタ素子とを備えた殺菌装置が開示されている。特許文献２によれば、人体細胞に損傷を与えることなく、微生物菌を殺菌することができる。
【０００９】
また、非特許文献１では、波長２１０ｎｍ以上の光をフィルタによってカットした、ピーク波長２０７ｎｍのＫｒ−Ｂｒエキシマランプによる、殺菌技術が開示されている。非特許文献１によれば、人体細胞の損傷および皮膚細胞の突然変異の発生を抑制しつつ、微
生物菌を殺菌することができる。
【００１０】
また、特許文献３では、紫外線の発光源から光ファイバで紫外線を導き患部に照射する歯周病の治療方法が記載されている。特許文献３によれば、歯科医師の使用する器具などの先端部に光ファイバを取り付けることで、歯周病原菌を殺菌することができる。
【先行技術文献】
【特許文献】
【００１１】
【特許文献１】日本国公開特許公報「特開平１０−３２８２８９号公報（１９９８年１２月１５日公開）」
【特許文献２】日本国公開特許公報「特表２０１４−５０８６１２号公報（２０１４年０４月１０日公開）」
【特許文献３】日本国公開特許公報「特開２０１３−６６６８５号公報（２０１３年０４月１８日公開）」
【非特許文献】
【００１２】
【非特許文献１】Plos ONE8（10）e76968（２０１３年１０月１５日出版）
【発明の概要】
【発明が解決しようとする課題】
【００１３】
しかしながら、上述した従来の技術では、以下の課題がある。すなわち、特許文献１では、患部に照射する紫外線および可視光線の波長が特定されていないため、照射する紫外線の波長によっては人体細胞に損傷を与えてしまうという問題がある。
【００１４】
また、特許文献２および非特許文献１では、紫外線のみを照射するため、紫外線の照射範囲が可視化できない。実際の手術環境においては、紫外線を目的の患部に素早く照射することが必要である。そのため、紫外線の照射範囲が可視化できないことは、手術環境において扱いに難いという問題がある。なお、特許文献２では、吸収材に蛍光材を用いて、紫外線を吸収した時に可視光線を発してランプが動作中であることを示す技術が提案されているが、この技術は、紫外線の照射範囲を可視化するものではない。
【００１５】
また、特許文献３では、患部に照射する紫外線の波長が特定されていないため、照射する紫外線の波長によって人体細胞に損傷を与えてしまうという問題がある。さらに、特許文献３では、紫外線のみを照射するため、紫外線の照射範囲を可視化できないという問題がある。
【００１６】
本発明は、上記従来の課題に鑑みてなされたものであって、その目的は、優れた安全性および操作性を両立させた医療用殺菌装置を実現することにある。
【課題を解決するための手段】
【００１７】
上記の課題を解決するために、本発明の一態様に係る医療用殺菌装置は、紫外線を含む光を手術部位に照射する医療用殺菌装置であって、１９０ｎｍ以上２３０ｎｍ以下の波長範囲にピーク波長を有する第一波長光を出射する第一レーザ光源と、４００ｎｍ以上７８０ｎｍ以下の波長範囲にピーク波長を有する第二波長光を出射する第二レーザ光源と、を備え、前記手術部位における、前記第二レーザ光源の照射位置から前記第一レーザ光源の照射位置を特定することを特徴としている。
また、本発明の他の態様に係る医療用殺菌装置は、紫外線を含む光を手術部位に照射する医療用殺菌装置であって、４００ｎｍ以上７８０ｎｍ以下の波長範囲にピーク波長を有する第二波長光を出射するレーザ光源と、前記レーザ光源から出射された前記第二波長光を受けて、当該第二波長光の一部を１９０ｎｍ以上２３０ｎｍ以下の波長範囲にピーク波長
を有する第一波長光に変換する周波数変換素子と、を備え、前記手術部位における、前記第二波長光の照射位置から前記第一波長光の照射位置を特定することを特徴としている。
【発明の効果】
【００１８】
本発明の一態様によれば、医療用殺菌装置に第一レーザ光源と第二レーザ光源とを用いることで、小型化且つ手術部位にピンポイントで集中照射することができる。さらに、第二レーザ光源により第一レーザ光源の照射位置を特定できるので、手術部位に適切に殺菌効果のある第一波長光を照射でき、操作性を確保できる。さらには、患部である手術部位と医療用殺菌装置との距離が変化した場合であっても照射面積が変化せず一定の光強度で第一波長光及び第二波長光を照射でき、殺菌効果と安全性を確保できる。
また、本発明の他の態様によれば、医療用殺菌装置にレーザ光源を用いることで、小型化且つ手術部位にピンポイントで集中照射することができる。さらに、第二波長光により第一波長光の照射位置を特定できるので、手術部位に適切に殺菌効果のある第一波長光を照射でき、操作性を確保できる。さらには、患部である手術部位と医療用殺菌装置との距離が変化した場合であっても照射面積が変化せず一定の光強度で第一波長光及び第二波長光を照射でき、殺菌効果と安全性を確保できる。
したがって、いずれの態様によっても、優れた安全性および操作性を両立させた医療用殺菌装置を提供することができるという効果を奏する。
【図面の簡単な説明】
【００１９】
【図１】本実施形態に係る医療用殺菌装置の構成例を示すブロック図である。
【図２】図１に示される医療用殺菌装置から患部に照射される光のスペクトルを示すグラフである。
【図３】図２に示される２３０超４００ｎｍ未満の波長範囲のスペクトルを拡大したグラフである。
【図４】本発明の実施形態２に係る医療用殺菌装置の構成例を示すブロック図である。
【図５】本発明の実施形態２に係る医療用殺菌装置の構成例を示すブロック図である。
【図６】本発明の適用例を示す模式図である。
【図７】本発明の適用例を示す模式図である。
【図８】本発明の適用例を示す模式図である。
【図９】本発明の適用例を示す模式図である。
【図１０】本発明の適用例を示す模式図である。
【発明を実施するための形態】
【００２０】
〔実施形態１〕
以下、本発明の実施の形態について、図１から図３に基づいて説明すれば以下のとおりである。本実施形態に係る医療用殺菌装置は、紫外線を含む光を患部（対象物）に照射して殺菌するものである。本明細書において、紫外線とは、波長が１０以上４００ｎｍ未満の光のことを指し、一般的に殺菌効果が認められている波長範囲の光のことを意味する。
【００２１】
なお、本実施形態では、紫外線として紫外線レーザを患部に照射する構成の一例について説明するが、本発明は、以下の構成に限定されるものではない。
【００２２】
＜医療用殺菌装置１の構成＞
図１は、本実施形態に係る医療用殺菌装置１の構成を示すブロック図である。図１に示すように、医療用殺菌装置１は、半導体レーザ素子（レーザ光源）２、周波数倍増素子（周波数変換素子）３、減光素子４、およびケース５を備えている。
【００２３】
（半導体レーザ素子２）
半導体レーザ素子２は、４００ｎｍ以上４６０ｎｍ以下の波長範囲にピーク波長を有する第二波長光Ｌλ２を発振する光源である。この半導体レーザ素子２から発振される第二波長光Ｌλ２は、波長および位相が揃ったコヒーレントな可視光線レーザである。半導体レーザ素子２は、第二波長光Ｌλ２を、周波数倍増素子３へ向けて出射する。
【００２４】
（周波数倍増素子３）
周波数倍増素子３は、半導体レーザ素子２から発振された第二波長光Ｌλ２を受けて、当該第二波長光Ｌλ２の一部の周波数を倍増（波長を半減）させて、２００ｎｍ以上２３０ｎｍ以下の波長範囲にピーク波長を有する第一波長光Ｌλ１に変換する（λ１＝λ２／２）。第一波長光Ｌλ１および第二波長光Ｌλ２の両方は、周波数倍増素子３からレーザ光として、同時に出射される。
【００２５】
このような周波数倍増素子３は、例えば、結晶非線形光学材料から構成することができる。単結晶非線形光学材料としては、ベータホウ酸バリウム（Ｂｅｔａ−Ｂａｒｉｕｍ 
Ｂｏｒａｔｅ、ＢＢＯ）、フルオロホウ酸ベリリウム酸カリウム（ｐｏｔａｓｓｉｕｍ 
ｆｌｕｒｏｂｏｒａｔｏｂｅｒｙｌｌａｔｅ）、四ホウ酸リチウム（ｌｉｔｈｉｕｍ ｔ
ｅｔｒａｂｏｒａｔｅ）、四ホウ酸リチウムルビジウム（ｌｉｔｈｉｕｍ ｒｕｂｉｄｉ
ｕｍ ｔｅｔｒａｂｏｒａｔｅ）、または、フッ化マグネシウムバリウム（ｍａｇｎｅｓ
ｉｕｍ ｂａｒｉｕｍ ｆｌｕｏｒｉｄｅ）などが挙げられる。
【００２６】
なお、周波数倍増素子３の詳細については、特開２０１３−８８８２２号公報などに開示されているため、本明細書では、詳細な説明は省略する。
【００２７】
周波数倍増素子３は、第一波長光Ｌλ１および第二波長光Ｌλ２を、減光素子４へ向けて出射する。
【００２８】
（減光素子４）
減光素子４は、周波数倍増素子３から出射された第二波長光Ｌλ２を減光するものである。減光素子４は、第二波長光Ｌλ２の一部を吸収または反射することによって減衰させる。一方、減光素子４は、周波数倍増素子３から出射された第一波長光Ｌλ１をほぼ減光することなく透過させる。
【００２９】
このような減光素子４としては、干渉フィルタや、ダイクロイックミラーなどが挙げられる。減光素子４の減衰率、透過率、または反射率などを変更することにより、第一波長光Ｌλ１と第二波長光Ｌλ２との強度比率を自由に変えるなどの制御が可能となる。また、第二波長光Ｌλ２のうち、所望の波長範囲の光のみを透過させ、その他の波長範囲の光を取り除くなどの制御が可能となる。
【００３０】
なお、減光素子４を省略して、周波数倍増素子３から出射された第二波長光Ｌλ２を減光することなく、医療用殺菌装置１から出射してもよい。さらに、減光素子４と同様の機能を持つ光学素子を自由に追加することにより、第二波長光Ｌλ２に含まれる他の波長範囲の光を減衰させてもよい。
【００３１】
（ケース５）
ケース５は、半導体レーザ素子２、周波数倍増素子３、および減光素子４を収容する筐体である。ケース５の内部には、半導体レーザ素子２、周波数倍増素子３、および減光素子４がこの順で、直線上に配置されている。ケース５は減光素子４側の端部が開口しており、この端部から第一波長光Ｌλ１および第二波長光Ｌλ２が外部へ出射される。
【００３２】
＜医療用殺菌装置１の作用および効果＞
図２は、医療用殺菌装置１から患部６に照射される光のスペクトルを示すグラフであり、図３は、図２に示される２３０超４００ｎｍ未満の波長範囲のスペクトルを拡大したグラフである。図２および図３では、縦軸が放射照度を示し、横縦が波長を示している。
【００３３】
図２に示すように、２００ｎｍ以上２３０ｎｍ以下の波長範囲にピーク波長Ｐ１を有する第一波長光Ｌλ１と、４００ｎｍ以上４６０ｎｍ以下の波長範囲にピーク波長Ｐ２を有する第二波長光Ｌλ２とが患部６に照射される。
【００３４】
２００ｎｍ以上２３０ｎｍ以下の波長範囲にピーク波長Ｐ１を有する第一波長光Ｌλ１は、体細胞に損傷を与えずに微生物菌を殺菌することが可能である。そのため、第一波長光Ｌλ１を患部６に照射することにより、安全に、患部６を殺菌することができる。
【００３５】
また、４００ｎｍ以上４６０ｎｍ以下の波長範囲にピーク波長Ｐ２を有する第二波長光Ｌλ２は、人の目で視認可能である。そのため、第一波長光Ｌλ１と共に第二波長光Ｌλ２を患部６に照射することにより、第一波長光Ｌλ１の照射範囲を可視化することができる。
【００３６】
さらに、図３に示すように、患部６には、２３０ｎｍ超４００ｎｍ未満の波長範囲の紫外線がほとんど照射されておらず、ノイズレベルであることが分かる。患部６に照射される２３０ｎｍ超４００ｎｍ未満の波長範囲の紫外線の光強度３ｍＷ／ｃｍ２以上である場合、体細胞に損傷を与える可能性が高くなる。そこで、医療用殺菌装置１では、患部６に照射される２３０ｎｍ超４００ｎｍ未満の波長範囲の紫外線の光強度を３ｍＷ／ｃｍ２未満とすることで、体細胞の損傷を抑制している。
【００３７】
また、半導体レーザ素子２から出射された第二波長光Ｌλ２の一部を第一波長光Ｌλ１に変換する周波数倍増素子３を備える医療用殺菌装置１によれば、従来技術に対して、以下の利点がある。
【００３８】
第一に、医療用殺菌装置１では、第二波長光Ｌλ２の一部が周波数倍増素子３によって第一波長光Ｌλ１に変換されるため、体細胞に損傷を与える可能性がある２３０ｎｍ超４００ｎｍ未満の紫外線がほぼ発生しない。そのため、特許文献２のように、紫外線ランプが発生させた紫外線が１９０ｎｍ以上２３０ｎｍ以下の波長範囲以外の光を含むことを防止するスペクトルフィルタ素子などを設ける必要がなく、医療用殺菌装置１の省スペース化に有利である。また、スペクトルフィルタ素子は、透過率が１００％ではなく、１９０ｎｍ以上２３０ｎｍ以下の波長範囲の紫外線も減衰させてしまうので光の利用効率が低下する。一方、医療用殺菌装置１によれば、このような光の利用効率の低下が生じないので、高い光の利用効率を実現することができる。
【００３９】
また、特許文献２では、紫外線が１９０ｎｍ以上２３０ｎｍ以下の波長範囲以外の光を含むことを防止するための他の技術として、例えばアルゴンをエキシランプに添加する技術が開示されているが、製造コストの増加を伴う。一方、医療用殺菌装置１によれば、比較的安価な周波数倍増素子３を用いるため、製造コストの増加を抑制することができる。
【００４０】
第二に、医療用殺菌装置１では、半導体レーザ素子２から出射された第二波長光Ｌλ２の一部は波長変換されることなく周波数倍増素子３を透過して、第一波長光Ｌλ１と共に患部６に照射される。そのため、第一波長光Ｌλ１の照射範囲を可視化することが可能となる。したがって、殺菌するための第一波長光Ｌλ１を出射する光源と、可視化するための第二波長光Ｌλ２を出射する光源とをそれぞれ備える必要がないため、医療用殺菌装置１を小型化することができる。
【００４１】
第三に、医療用殺菌装置１では、紫外線ランプやＬＥＤを用いた場合に比べて、一定の光強度で紫外線を患部６に照射することが可能となる。実際の手術環境では、目標の光強度の紫外線を素早く患部６に照射することが求められる。しかし、紫外線ランプやＬＥＤからの紫外線を集光した場合、患部と医療用殺菌装置との距離が変化すると、紫外線の照射面積が変化し、紫外線の光強度密度が変わってしまう。一方、医療用殺菌装置１によれば、第一波長光Ｌλ１および第二波長光Ｌλ２はレーザ光でありそれぞれが略平行光である。そのため、患部６と医療用殺菌装置１との距離が変化した場合であっても照射面積が変化せず一定の光強度で第一波長光Ｌλ１および第二波長光Ｌλ２を患部６に照射することができる。
【００４２】
第四に、医療用殺菌装置１では、第一波長光Ｌλ１がレーザ光であるため、紫外線ランプやＬＥＤを用いた場合に比べて第一波長光Ｌλ１のビーム径を小さくすることが可能となる。そのため、複雑で急峻な患部６に対しても第一波長光Ｌλ１を好適に照射することが可能となる。
【００４３】
また、従来のように、紫外線を連続して患部６に照射する殺菌方法では、以下の問題が生じ得る。
１．光源が発熱する。
２．光源の寿命が低下する可能性が高い。
３．医師にとって非常に危険である。
４．医師の手などにより、紫外線が手術で発生した傷（創傷という）に届くことが妨げられる。
【００４４】
上記１および２の問題は当業者にとって自明である。上記３の問題について、際の手術環境では、紫外線はメスなどの医療器具によって常に反射する可能性がある。これは、例えば、紫外線が人体にとって有害である波長を含む場合、医師にとって非常に危険な状況であると言える。
【００４５】
また、上記４の問題については、手術中において、紫外線を連続して照射したとしても、医師の手などにより紫外線が遮られてしまうことが十分に考えられる。この場合、創傷に実際に照射される紫外線強度が低下するため、紫外線の連続照射による十分な殺菌効果が得られない。
【００４６】
そこで、医療用殺菌装置１は、半導体レーザ素子２の駆動を制御することにより、第一波長光Ｌλ１および第二波長光Ｌλ２を断続的に出射してもよい。
【００４７】
手術部位感染（ＳＳＩ）が発生していることから、あらゆる手術環境において、微生物菌は創傷に到達していると考えられる。微生物菌は、創傷に到達すると、その内部に入り込む。手術中、医師は頻繁に手や器具を動かすため、微生物菌が創傷の内部に入り込む時間は、手術開始後１分程度であると推測される。微生物菌が創傷に入り込むまでは紫外線による殺菌が可能であるが、微生物菌が創傷の奥深くに入ってしまうと、紫外線による殺菌効果が低下する。
【００４８】
また、微生物菌は、創傷に到達後に自己防御反応として、バイオフィルムを形成することが知られている。バイオフィルムを形成する時間は、創傷に到達後３０分程度である。このような現象が発生すると、紫外線による殺菌効果が大幅に低下する。
【００４９】
このことから、効果的に微生物菌を殺菌するためには、
１．微生物菌が創傷に奥深く入ってしまう前に紫外線を照射する。
２．微生物菌がバイオフィルムを形成する前に紫外線を照射する。
ことが必要であると言える。
【００５０】
したがって、医療用殺菌装置１から第一波長光Ｌλ１を断続的に出射する場合、手術開始から１０分間隔で第一波長光Ｌλ１の出射／停止を切り替えることが好ましく、１分間隔で第一波長光Ｌλ１の出射／停止を切り替えることがより好ましい。これにより、殺菌効果を維持しつつ、医療用殺菌装置１の省電力化を図ることが可能となる。
【００５１】
以上のように、本実施形態に係る医療用殺菌装置１は、２００ｎｍ以上２３０ｎｍ以下の波長範囲にピーク波長を有する第一波長光Ｌλ１と、４００ｎｍ以上４６０ｎｍ以下の波長範囲にピーク波長を有する第二波長光Ｌλ２とを出射するものである。
【００５２】
２００ｎｍ以上２３０ｎｍ以下の波長範囲にピーク波長を有する第一波長光Ｌλ１は、体細胞に損傷を与えずに微生物菌を殺菌することが可能であるため、第一波長光Ｌλ１を患部６に照射することにより、安全に、患部６を殺菌することができる。
【００５３】
４００ｎｍ以上４６０ｎｍ以下の波長範囲にピーク波長を有する第二波長光Ｌλ２は、人の目で視認可能であるため、第一波長光Ｌλ１と共に第二波長光Ｌλ２を患部に照射することにより、第一波長光Ｌλ１の照射範囲を可視化することができる。
【００５４】
したがって、本実施形態によれば、優れた安全性および操作性を両立させた医療用殺菌装置１を実現することができる。
【００５５】
なお、本実施形態では、２００ｎｍ以上２３０ｎｍ以下の波長範囲にピーク波長を有する光を第一波長光Ｌλ１として用い、４００ｎｍ以上４６０ｎｍ以下の波長範囲にピーク波長を有する光を第二波長光Ｌλ２として用いる構成について説明した。
【００５６】
しかしながら、第一波長光Ｌλ１は１９０ｎｍ以上２３０ｎｍ以下の波長範囲にピーク波長を有する光であればよく、また、第二波長光Ｌλ２は４００ｎｍ以上７８０ｎｍ以下の波長範囲にピーク波長を有する光であればよい。上記波長範囲にピーク波長を有する第一波長光Ｌλ１および第二波長光Ｌλ２を患部６に照射する医療用殺菌装置であれば、優れた安全性および操作性を両立させることが可能である。
【００５７】
（変形例１）
本発明に係る医療用殺菌装置は、半導体レーザ素子２および周波数倍増素子３に代えて、１９０ｎｍ以上２３０ｎｍ以下の波長範囲にピーク波長を有する第一波長光Ｌλ１を出射する第一光源と、４００ｎｍ以上７８０ｎｍ以下の波長範囲にピーク波長を有する第二波長光Ｌλ２を出射する第二光源とを、それぞれ備えていてもよい。
【００５８】
第一光源としては、第一波長光Ｌλ１を出射可能な半導体レーザ素子などの紫外線発生光源が挙げられる。
【００５９】
また、第二光源としては、第二波長光Ｌλ２を出射可能な半導体レーザ素子などの可視光線発生光源が挙げられる。これらの光源については、一般的に市販されているため、ここでは例示しない。
【００６０】
なお、第一波長光Ｌλ１として２０７ｎｍの紫外線を用いることによって、例えばアデノウィルスなど、その波長に適したウィルスを殺菌することが可能である。同様に、ウィルスに適した波長を選択することにより、微生物菌のみならず、ウィルスも殺菌することが可能となる。
【００６１】
（変形例２）
また、本発明に係る医療用殺菌装置は、第一波長光Ｌλ１を走査しつつ患部６に照射するスキャン機構を備えていてもよい。これにより、局所的のみならず、広い範囲に第一波長光Ｌλ１を照射するが可能となる。広い範囲に第一波長光Ｌλ１を照射することはＬＥＤや紫外線ランプでも可能であるが、紫外線レーザである第一波長光Ｌλ１を走査しつつ照射することにより、複雑で急峻な患部６に対しても一定の光強度で第一波長光Ｌλ１を照射することが可能となる。
【００６２】
〔実施形態２〕
本発明の他の実施形態について、図４に基づいて説明すれば、以下のとおりである。なお、説明の便宜上、前記実施形態にて説明した部材と同じ機能を有する部材については、同じ符号を付記し、その説明を省略する。
【００６３】
＜医療用殺菌装置１１の構成＞
図４は、本実施形態に係る医療用殺菌装置１１の構成を示すブロック図である。なお、図４に示す符号ａ１は医療用殺菌装置１から出射される第一波長光Ｌλ１のビーム径を示し、ａ２は平凹レンズ８から出射される第一波長光Ｌλ１のビーム径を示し、ａ２’は患部６に照射される第一波長光Ｌλ１のビーム径を示している。
【００６４】
図４に示すように、医療用殺菌装置１１は、上述した医療用殺菌装置１に加えて、平凸レンズ７、および平凹レンズ８を備えている。
【００６５】
（平凸レンズ７）
平凸レンズ７は、医療用殺菌装置１から出射された第一波長光Ｌλ１および第二波長光Ｌλ２を集光する光学部材である。平凸レンズ７は、医療用殺菌装置１から出射された第一波長光Ｌλ１および第二波長光Ｌλ２を入射させる凸曲面状の入射面７ａと、第一波長光Ｌλ１および第二波長光Ｌλ２を出射する平面状の出射面７ｂとを備えている。
【００６６】
平凸レンズ７は、第一波長光Ｌλ１および第二波長光Ｌλ２のビーム径が徐々に小さくなるように第一波長光Ｌλ１および第二波長光Ｌλ２を屈折させて、平凹レンズ８へ向けて出射する。
【００６７】
（平凹レンズ８）
平凹レンズ８は、平凸レンズ７から出射された第一波長光Ｌλ１および第二波長光Ｌλ２を略平行光にする光学部材である。平凹レンズ８は、平凸レンズ７から出射された第一波長光Ｌλ１および第二波長光Ｌλ２を入射させる平面状の入射面８ａと、第一波長光Ｌλ１および第二波長光Ｌλ２を出射する凹曲面状の出射面８ｂとを備えている。
【００６８】
平凹レンズ８は、第一波長光Ｌλ１および第二波長光Ｌλ２がそれぞれ略平行光になるように第一波長光Ｌλ１および第二波長光Ｌλ２を屈折させて、患部６へ向けて出射する。
【００６９】
＜医療用殺菌装置１１の作用および効果＞
第一波長光Ｌλ１を例にして、光の平行度について説明する。光の平行度をｋ、平凹レンズ８から出射される第一波長光Ｌλ１のビーム径をａ２、患部６に照射される第一波長光Ｌλ１のビーム径をａ２’とした場合、平行度ｋは、
ｋ＝ａ２／ａ２’・・・式（１）
で表される。
【００７０】
式（１）において、完全な平行光がｋ＝１であると定義した場合、ｋ＞１であれば第一波長光Ｌλ１は集光された光（すなわち、進行方向に向かってビーム径が減少する光）であり、ｋ＜１であれば第一波長光Ｌλ１は広がった光（すなわち、進行方向に向かってビーム径が増加する光）である。この平行度ｋを用いることにより、光がどれだけ平行に近いかを表現することができる。
【００７１】
また、平凸レンズ７の焦点距離をｆ１、平凹レンズ８の焦点距離ｆ１の絶対値をｆ２、平凸レンズ７と平凹レンズ８との間隔をｄとした場合、
ｄ＝ｆ１−ｆ２・・・式（２）
を満たすときに、第一波長光Ｌλ１は完全な平行光とすることができる。
【００７２】
平凸レンズ７と平凹レンズ８との間隔ｄを、式（２）より求められる値よりも小さくすれば第一波長光Ｌλ１を集光することが可能であり、大きくすれば第一波長光Ｌλ１を広げることが可能である。
【００７３】
なお、手術環境において、医療用殺菌装置１１と患部６との距離は、現実的には１ｍ以内であると考えられる。そのため、手術中において、第一波長光Ｌλ１を照射する場合、医療用殺菌装置１１と患部６との距離は１ｍの距離を上限として変化する。
【００７４】
そのため、本明細書において、略平行光とは、式（１）において、
０．２＜ｋ＜５・・・式（３）
を満たすことを意味するものとする。
【００７５】
このように、平凸レンズ７および平凹レンズ８を用いることにより、ビーム径をａ１からａ２’に減少させた略平行光である第一波長光Ｌλ１を患部６へ照射することができる。したがって、医療用殺菌装置１１と患部６との距離が変化した場合であっても一定の光強度で第一波長光Ｌλ１を患部６に照射することができる。
【００７６】
また、患部６に照射される第一波長光Ｌλ１のビーム径ａ２’を小さくすることが可能となり、例えば、ビーム径ａ２’を１ｃｍ２未満にすることができる。これにより、複雑で急峻な患部６に対しても第一波長光Ｌλ１を好適に照射することができる。
【００７７】
なお、医療用殺菌装置１１では、第一波長光Ｌλ１と共に、第二波長光Ｌλ２もビーム径を減少させた略平行光として患部６へ照射されるので、第一波長光Ｌλ１の照射範囲を適切に可視化することができる。
【００７８】
本実施形態では、医療用殺菌装置１から出射される第一波長光Ｌλ１のビーム径ａ１に対して、患部６に照射される第一波長光Ｌλ１のビーム径ａ２’を減少（ａ１＞ａ２’）させる構成について説明したが、本発明はこの構成に限定されない。同様の原理を用いて、医療用殺菌装置１から出射される第一波長光Ｌλ１のビーム径ａ１に対して、患部６に照射される第一波長光Ｌλ１のビーム径ａ２’を増加（ａ１＜ａ２’）させる構成であってもよい。
【００７９】
〔実施形態３〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００８０】
＜医療用殺菌装置１２の構成＞
図５は、本実施形態に係る医療用殺菌装置１２の構成を示すブロック図である。この医
療用殺菌装置１２は、医療用インプラントの医療用殺菌装置として用いられるものである。なお、医療用殺菌装置１から出射される光には第二波長光Ｌλ２が含まれるが、図面では第二波長光Ｌλ２を省略し第一波長光Ｌλ１のみを図示している。
【００８１】
図５に示すように、医療用殺菌装置１２は、上述した医療用殺菌装置１に加えて、光ファイバ９を備えている。
【００８２】
（光ファイバ９）
光ファイバ９は、医療用殺菌装置１から出射された第一波長光Ｌλ１および第二波長光Ｌλ２を導光する導光部材である。この光ファイバ９は、一端から第一波長光Ｌλ１および第二波長光Ｌλ２を入射させ、他端近傍の周面に複数形成された出射孔から第一波長光Ｌλ１および第二波長光Ｌλ２を出射する。
【００８３】
光ファイバ９は、中芯のコアを、当該コアよりも屈折率の低いクラッドで覆った２層構造をしている。コアは、レーザ光の吸収損失がほとんどない石英ガラス（酸化ケイ素）を主成分とするものであり、クラッドは、コアよりも屈折率の低い石英ガラスまたは合成樹脂材料を主成分とするものである。
【００８４】
＜医療用殺菌装置１２の作用および効果＞
医療用インプラントとしては、広く左心補助心臓ポンプやカテーテル１０が知られている。左心補助心臓ポンプは、心臓治療において、重要度が増してきている。これらは、完全心臓移植を待つ患者にとって希望となっている。しかし、医療用インプラントには、決定的な問題がある。それは、体外と接触する部分、すなわち左心補助心臓ポンプであれば電源との電気伝達経路、カテーテル１０であれば体外に置かれるカテーテルの出口部分（ポンプなどを置くことが多い）から、シャワー時などに容易に感染が起こることである。
【００８５】
医療用殺菌装置１２によれば、カテーテル１０が体内にある間も、第一波長光Ｌλ１を照射して、カテーテル１０の近くに存在する微生物菌やウィルスを殺菌することが可能である。当然、カテーテル１０の近くの体細胞に損傷を与えることはない。
【００８６】
医療用殺菌装置１から出射された第一波長光Ｌλ１および第二波長光Ｌλ２は、光ファイバ９に入射する。カテーテル１０は、皮膚６１を貫通して、皮膚６１に開けられた穿孔６２を通して、人体に挿入される。
【００８７】
第一波長光Ｌλ１は、光ファイバ９を伝搬して、カテーテル１０の近くで、光ファイバ９の周面から出射される。これにより、カテーテル１０が体内にある間も、カテーテル１０に第一波長光Ｌλ１を照射して、カテーテル１０による感染の確率を下げることができる。
【００８８】
なお、医療用殺菌装置１から出射される第一波長光Ｌλ１および第二波長光Ｌλ２はレーザ光であるため、高いカップリング効率で、光ファイバ９に入射させることができる。そのため、よって、医療用殺菌装置１２によれば、光の利用効率を向上させることができる。
【００８９】
〔実施形態４〕
本発明の他の実施形態について、図６〜図１０に基づいて説明すれば、以下のとおりである。なお、説明の便宜上、前記実施形態にて説明した部材と同じ機能を有する部材については、同じ符号を付記し、その説明を省略する。
【００９０】
本実施形態では。本発明に係る医療用殺菌装置の具体的な適用例について説明する。
【００９１】
（適用例１）
図６は、ペンシル型の医療用殺菌装置１３を示す斜視図である。図１３に示すように、ペンシル型の医療用殺菌装置１３とすることが考えられる。また、医療用殺菌装置１３に光ファイバ９を接続して、第一波長光Ｌλ１などを伝搬させて出射させてもよい。
【００９２】
例えば、周波数倍増素子３を用いた医療用殺菌装置であれば電池駆動が可能である。そのため、実際の手術環境においてペンシル型の医療用殺菌装置１３を簡便に使用することができる。
【００９３】
（適用例２）
図７は、医療用手袋４０に取り付け可能な医療用殺菌装置１４を示す模式図である。図７に示すように、医療用手袋４０に医療用殺菌装置１４を取り付けてもよい。これにより、術者が指差したところに、素早く第一波長光Ｌλ１などを照射することが可能となる。
【００９４】
（適用例３）
図８は、医療用ゴーグル型の医療用殺菌装置１５を示す模式図である。この医療用ゴーグル型の医療用殺菌装置１５は、ゴーグル５０に図示しない医療用殺菌装置１が内蔵されたものである。
【００９５】
医療用殺菌装置１を内蔵するゴーグル５０は、一般的に使用されているゴーグルの機能の他に、紫外線をカットする機能を備えることが望ましい。また、例えばカメラやセンサなどをゴーグル５０に取り付けることにより、術者の視線の先に第一波長光Ｌλ１などを照射することが可能となる。
【００９６】
（適用例４）
図９は、ヘルメット６０に取り付け可能な医療用殺菌装置１６を示す模式図である。図９に示すように、ヘルメット６０に殺菌装置１６を取り付けてもよい。また、例えばカメラやセンサをヘルメット６０に取り付けることにより、術者の視線の先を、紫外線照射することが可能である。
【００９７】
（適用例５）
図１０は、歯科手術に使用可能な医療用殺菌装置１７を示す模式図である。歯科手術において、特に歯周病はすぐに再発することが知られている。口内では、善玉菌および悪玉菌の両方が存在し、両菌がバイオフィルムを生成している。そのバイオフィルムに微生物菌が逃げ込んで増殖する。
【００９８】
歯周病においては、歯周ボケットとよばれる深い溝が形成され、物理的に薬剤を届けることが不可能であることに加え、バイオフィルム内の微生物菌は、薬剤による殺菌が不可能である。
【００９９】
しかし、図１０に示すように、医療用殺菌装置１７によれば、紫外線による殺菌は可能であり、局所的な部位に第一波長光Ｌλ１を照射可能な医療用殺菌装置１７用いることによって、歯周病治療が可能となる。
【０１００】
なお、本発明に係る医療用殺菌装置の適用例は上述のものに限定されない。例えば、医療用殺菌装置を内視鏡に適用してもよい。この場合、内視鏡の内部に殺菌装置を内蔵し、殺菌装置が出射した第一波長光Ｌλ１などを光ファイバにより伝搬させて内視鏡の先端から出射する。これにより、内視鏡カメラの画像を見ながら、局所的に第一波長光Ｌλ1な
どを照射する
ことが可能になる。
【０１０１】
〔まとめ〕
本発明の態様１に係る医療用殺菌装置は、紫外線を含む光を対象物（患部６）に照射する医療用殺菌装置であって、１９０ｎｍ以上２３０ｎｍ以下の波長範囲にピーク波長を有する第一波長光と、４００ｎｍ以上７８０ｎｍ以下の波長範囲にピーク波長を有する第二波長光と、を出射することを特徴としている。
【０１０２】
上記の構成では、医療用殺菌装置は、１９０ｎｍ以上２３０ｎｍ以下の波長範囲にピーク波長を有する第一波長光を出射する。１９０ｎｍ以上２３０ｎｍ以下の波長範囲にピーク波長を有する第一波長光は、体細胞に損傷を与えずに微生物菌を殺菌することが可能である。そのため、第一波長光を対象物に照射することにより、安全に、対象物を殺菌することができる。
【０１０３】
また、上記の構成では、医療用殺菌装置は、４００ｎｍ以上７８０ｎｍ以下の波長範囲にピーク波長を有する第二波長光を出射する。４００ｎｍ以上７８０ｎｍ以下の波長範囲にピーク波長を有する第二波長光は、人の目で視認可能である。そのため、第一波長光と共に第二波長光を対象物に照射することにより、第一波長光の照射範囲を可視化することができる。
【０１０４】
したがって、上記の構成によれば、優れた安全性および操作性を両立させた医療用殺菌装置を実現することができる。
【０１０５】
また、本発明の態様２に係る医療用殺菌装置では、上記態様１において、前記対象物に照射される２３０ｎｍ超４００ｎｍ未満の波長範囲の光の強度が、３ｍＷ／ｃｍ２未満であって
もよい。
【０１０６】
対象物に照射される２３０ｎｍ超４００ｎｍ未満の波長範囲の光の強度が３ｍＷ／ｃｍ２以上である場合、体細胞に損傷を与える可能性が高くなる。そこで、対象物に照射される２３０ｎｍ超４００ｎｍ未満の波長範囲の光の強度を３ｍＷ／ｃｍ２未満とすることで、体細胞の損傷を抑制することが可能となる。
【０１０７】
したがって、上記の構成によれば、医療用殺菌装置の安全性をさらに向上させることができる。
【０１０８】
また、本発明の態様３に係る医療用殺菌装置では、上記態様１または２において、前記第二波長光を発振するレーザ光源と、前記レーザ光源から発振された前記第二波長光を受けて、当該第二波長光の一部を前記第一波長光に変換する周波数変換素子とを備え、前記周波数変換素子は、前記第一波長光および当該第一波長光に変換されなかった前記第二波長光を出射してもよい。
【０１０９】
上記の構成では、レーザ光源から出射された第二波長光の一部を第一波長光に変換する周波数変換素子を備え、この周波数変換素子から出射された第一波長光および第二波長光が対象物に照射する。このような構成によれば、従来技術に対して、以下の利点がある。
【０１１０】
第一に、上記の構成では、第二波長光の一部が周波数変換素子によって第一波長光に変換されるため、体細胞に損傷を与える可能性がある２３０ｎｍ超４００ｎｍ未満の紫外線が発生しない。そのため、特許文献２のように、紫外線ランプが発生させた紫外線が１９０ｎｍ以上２３０ｎｍ以下の波長範囲以外の光を含むことを防止するスペクトルフィルタ
素子などを設ける必要がなく、医療用殺菌装置の省スペース化に有利である。また、スペクトルフィルタ素子は、透過率が１００％ではなく、１９０ｎｍ以上２３０ｎｍ以下の波長範囲の紫外線も減衰させてしまうので光の利用効率が低下する。一方、上記の構成によれば、このような光の利用効率の低下が生じないので、高い光の利用効率を実現することができる。
【０１１１】
また、特許文献２では、紫外線が１９０ｎｍ以上２３０ｎｍ以下の波長範囲以外の光を含むことを防止するための他の技術として、例えばアルゴンをエキシランプに添加する技術が開示されているが、製造コストの増加を伴う。一方、上記の構成によれば、比較的安価な周波数変換素子を用いるため、製造コストの増加を抑制することができる。
【０１１２】
第二に、上記の構成では、レーザ光源から出射された第二波長光の一部は波長変換されることなく周波数変換素子を透過して、第一波長光とともに対象物に照射される。そのため、第一波長光の照射範囲を可視化することが可能である。したがって、殺菌するための第一波長光を出射する光源と、可視化するための第二波長光を出射する光源とをそれぞれ備える必要がないため、医療用殺菌装置を小型化することができる。
【０１１３】
第三に、上記の構成では、紫外線ランプやＬＥＤを用いた構成に比べて、一定の光強度で第一波長光を対象物に照射することが可能となる。実際の手術環境では、目標の強度の紫外線を素早く患部（対象物）に照射することが求められる。しかし、紫外線ランプやＬＥＤからの紫外線を集光した場合、医療用殺菌装置と患部との距離が変化すると、光の照射面積が変化し、紫外線の光強度密度が変わってしまう。一方、上記の構成によれば、第一波長光および第二波長光はレーザ光でありそれぞれが略平行光である。そのため、医療用殺菌装置と対象物との距離が変化した場合であっても、照射面積が変化せず、一定の光強度で第一波長光および第二波長光を対象物に照射することができる。
【０１１４】
第四に、上記の構成では、第一波長光がレーザ光であるため、紫外線ランプやＬＥＤを用いた場合に比べて第一波長光のビーム径を小さくすることが可能である。そのため、複雑で急峻な患部（対象物）に対しても第一波長光を好適に照射することが可能となる。
【０１１５】
また、本発明の態様４に係る医療用殺菌装置では、上記態様１から３のいずれかにおいて、前記第二波長光を減光する減光素子を備えていてもよい。
【０１１６】
上記の構成によれば、減光素子の減衰率、透過率、または反射率などを変更することにより、対象物に照射される第一波長光と第二波長光との強度比率を自由に変えるなどの制御が可能となる。また、上記の構成によれば、第二波長光のうち、所望の波長範囲の光のみを透過させ、その他の波長範囲の光を減光素子によって取り除くなどの制御が可能となる。
【０１１７】
また、本発明の態様５に係る医療用殺菌装置では、上記態様１から４のいずれかにおいて、前記第一波長光は、略平行光であり、前記第二波長光は、略平行光であってもよい。
【０１１８】
上記の構成では、第一波長光および第二波長光のそれぞれが略平行光であるため、医療用殺菌装置と対象物との距離が変化した場合であっても照射面積が変化しない。
【０１１９】
したがって、上記の構成によれば、医療用殺菌装置と対象物との距離が変化した場合であっても一定の光強度で第一波長光および第二波長光を対象物に照射することができるため、医療用殺菌装置の操作性を向上させることができる。
【０１２０】
また、本発明の態様６に係る医療用殺菌装置では、上記態様１から５のいずれかにおい
て、前記対象物に照射される前記第一波長光のビーム径は、１ｃｍ２未満であってもよい。
【０１２１】
上記の構成によれば、対象物に照射される第一波長光のビーム径が１ｃｍ２未満であるため、複雑で急峻な患部（対象物）に対しても第一波長光を好適に照射することができる。
【０１２２】
また、本発明の態様７に係る医療用殺菌装置では、上記態様１から６のいずれかにおいて、前記第一波長光を断続的に出射してもよい。
【０１２３】
上記の構成によれば、対象物に対して、第一波長光を断続的に照射するため、殺菌効果を維持しつつ、光源の長寿化および医療用殺菌装置の省電力化などを図ることができる。
【０１２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１２５】
〔補足〕
本発明は以下のように表現することもできる。すなわち、本発明に係る医療用殺菌装置は、少なくとも一つの紫外線を発生する医療用殺菌装置であって、波長約１９０〜２３０ｎｍの第一波長にピークを持ち、さらに波長約４００〜７８０ｎｍの第二波長にピークを持つ光源を備えることを特徴としている。
【０１２６】
また、本発明に係る医療用殺菌装置では、さらに波長約２３０〜４００ｎｍの第三波長の光強度密度が３ｍＷ／ｃｍ２未満であることが好ましい。
【０１２７】
また、本発明に係る医療用殺菌装置では、前記第二波長の光を減衰させる装置を備えていることが好ましい。
【０１２８】
また、本発明に係る医療用殺菌装置では、前記第一波長および前記第二波長の光は略平行光であることが好ましい。
【０１２９】
また、本発明に係る医療用殺菌装置では、前記第一波長のビーム径が１ｃｍ２未満であることが好ましい。
【０１３０】
また、本発明に係る医療用殺菌装置では、前記第一波長の光をパルス的に発生することが好ましい。
【産業上の利用可能性】
【０１３１】
本発明は、紫外線を照射する医療用殺菌装置に利用することができ、特に、手術中に使用される医療機器や医療具に好適に利用することができる。
【符号の説明】
【０１３２】
１  医療用殺菌装置
２  半導体レーザ素子（光源）
３  周波数倍増素子（周波数変換素子）
４  減光素子
５  ケース
６  患部（対象物）
７  平凸レンズ
８  平凹レンズ
９  光ファイバ
１０  カテーテル
１１  医療用殺菌装置
１２  医療用殺菌装置
１３  医療用殺菌装置
１４  医療用殺菌装置
１５  医療用殺菌装置
１６  医療用殺菌装置
１７  医療用殺菌装置
６１  皮膚
６２  穿孔（対象物）
ａ２’  ビーム径
Ｌλ１  第一波長光
Ｌλ２  第二波長光
Ｐ１  ピーク波長
Ｐ２  ピーク波長
【図１】
2018126522.tif 000003
【図２】
2018126522.tif 000004
【図３】
2018126522.tif 000005
【図４】
2018126522.tif 000006
【図５】
2018126522.tif 000007
【図６】
2018126522.tif 000008
【図７】
2018126522.tif 000009
【図８】
2018126522.tif 000010
【図９】
2018126522.tif 000011
【図１０】
2018126522.tif 000012